(57)【要約】      （修正有）【課題】使用者の姿勢、大腿部周りの形状変化に対する対応性に優れ、漏れ防止効果が向上された、使い捨ておむつを提供する。【解決手段】透液性表面シートと不透液性裏面シートとの間に吸収体が介在されたおむつ本体と、おむつ本体の側部に前後方向に沿って配された第１脚周り弾性伸縮部材と、第１脚周り弾性伸縮部材より幅方向中心側を通る第２脚周り弾性伸縮部材とを備えている。前記第２脚周り弾性伸縮部材は、股下側から腹側縁及び背側縁の各縁に向かい、所定位置で幅方向側縁に向かうように屈曲したのち、この屈曲部より背側縁及び腹側縁に近い位置まで至るように延在される。【選択図】図１
2008161480.tif 000002
【特許請求の範囲】
【請求項１】
透液性表面シートと不透液性裏面シートとの間に吸収体が介在されたおむつ本体と、おむつ本体の側部に前後方向に沿って配された第１脚周り弾性伸縮部材と、第１脚周り弾性伸縮部材より幅方向中心側を通る第２脚周り弾性伸縮部材と、を備え、
前記第２脚周り弾性伸縮部材は、股下部から腹側縁及び背側縁の各縁に向かい、所定位置で幅方向側縁に向かうように屈曲したのち、この屈曲部より背側縁及び腹側縁に近い位置まで至るように延在され、
その腹側の屈曲部が装着時に鼠径部に対面可能な位置にあるとともに、背側の屈曲部が装着時に臀溝に対面可能な位置にあり、かつ、
これら屈曲部及び屈曲部間範囲が前記吸収体と不透液性裏面シートとの間に位置されている、ことを特徴とする使い捨ておむつ。
【請求項２】
第２脚周り弾性伸縮部材は、腹側の屈曲部と背側の屈曲部との間がおむつ本体の幅方向中心側に変位するように配されている、請求項１記載の使い捨ておむつ。
【請求項３】
第２脚周り弾性伸縮部材は、第１脚周り弾性伸縮部材に対して、股下側から屈曲部に向かって離間し、屈曲部から端部に向かって接近するように配されている、請求項１記載の使い捨ておむつ。
【請求項４】
前記吸収体は、第２脚周り弾性伸縮部材に沿って凹溝又はくりぬき部が形成されている、請求項１〜３の何れか１項に記載の使い捨ておむつ。
【請求項５】
前記吸収体は、第２脚周り弾性伸縮部材に沿って透液性表面シート側に堤部が形成されている、請求項１〜３の何れか１項に記載の使い捨ておむつ。
【請求項６】
一方の側縁部に複数の第２脚周り弾性伸縮部材が並設されている、請求項１〜５の何れか１項に記載の使い捨ておむつ。
【請求項７】
腹側の屈曲部と背側の屈曲部との間の離間距離が相違する、複数の第２脚周り弾性伸縮部材が並設されている、請求項６記載の使い捨ておむつ。
【発明の詳細な説明】
【技術分野】
【０００１】
本発明は、使い捨ておむつ、特に製品の幅方向両側部に弾性伸縮部材を備える使い捨ておむつに関する。
【背景技術】
【０００２】
使い捨ておむつにおいて、脚周り部分からの排泄物等の漏れを防止すべく、脚周り縁部に沿って弾性伸縮部材を配することは周知の技術である。
しかし、脚周り縁部への弾性伸縮部材の配設のみでは、漏れ防止が不十分な場合が多いとして、種々の技術改良がなされている。
例えば、下記特許文献１には、脚周り縁部に第１の弾性伸縮部材を設けるとともに、これよりも製品の幅方向中心側に第２の弾性伸縮部材をその中央部が両基端部よりも幅方向中心側に変位するように設け、これらの弾性伸縮部材の間に排泄物を導くためのポケット部を形成して漏れ防止を図る技術が、開示されている。
また、下記特許文献２には、脚周り縁部に第１の弾性伸縮部材を設けるとともに、これよりも製品の幅方向中心側に製品前後方向に沿って別の第２の弾性伸縮部材を設け、さらに吸収体の幅方向中央に製品前後方向に沿って溝を設けることで、股間部を肌から遠ざかるように外方に膨出するように構成して漏れ防止を図る技術が、開示されている。
【特許文献１】特開平１１−１８８０５９号公報
【特許文献２】実開平６−２１６２２号公報
【発明の開示】
【発明が解決しようとする課題】
【０００３】
しかし、特許文献１及び２に代表される従来技術は、着用者の姿勢や脚の筋肉や関節の動き等に起因する大腿部周りの形状変化が考慮されていないため、使用態様によって十分に横漏れ防止効果が発揮されない場合がある。
例えば、特許文献１及び２の技術では、仰臥位、伏臥位や座位の姿勢ではポケット部等の空間が潰れてしまうことがあり、十分に効果が発揮されない場合がある。特に、紙おむつを利用する機会が比較的多い、自力でベッド等から起き上がれない入院患者や要介護者等が使用したときに、十分な漏れ機能が発揮されない。
また、鼠径部、臀溝、大腿部内側面など大腿部周りの形状は、仰臥位から座位、座位から仰臥位の姿勢に変化する際など、関節・筋肉の動き等に起因して変化するが、従来技術はこのような大腿部周りの形状変化を考慮していない。
このため、当該部位に剛性の高い吸収体を位置せねばならないおむつの基本構造と相まって、姿勢変化の際の大腿部周りの形状変化に肌当接面が追随できず、肌との間に不要な空間が形成され漏れが発生することがあった。
そこで、本発明の主たる課題は、使用者の姿勢、大腿部周りの形状変化に対する対応性に優れ、漏れ防止効果が向上された、使い捨ておむつを提供することにある。
【課題を解決するための手段】
【０００４】
上記課題を解決した本発明及びその作用効果は次記のとおりである。
＜請求項１記載の発明＞
透液性表面シートと不透液性裏面シートとの間に吸収体が介在されたおむつ本体と、おむつ本体の側部に前後方向に沿って配された第１脚周り弾性伸縮部材と、第１脚周り弾性伸縮部材より幅方向中心側を通る第２脚周り弾性伸縮部材と、を備え、
前記第２脚周り弾性伸縮部材は、股下側から腹側縁及び背側縁の各縁に向かい、所定位置で幅方向側縁に向かうように屈曲したのち、この屈曲部より背側縁及び腹側縁に近い位置まで至るように延在され、
その腹側の屈曲部が装着時に鼠径部に対面可能な位置にあるとともに、背側の屈曲部が装着時の臀溝に対面可能な位置にあり、かつ、
これら屈曲部及び屈曲部間範囲が前記吸収体と不透液性裏面シートとの間に位置されている、ことを特徴とする使い捨ておむつ。
【０００５】
（作用効果）
本発明の使い捨ておむつは、股下側から腹側縁及び背側縁の各縁に向かい、所定位置で幅方向側縁に向かうように屈曲したのち、この屈曲部より背側縁及び腹側縁に近い位置まで至るように延在する第２脚周り弾性伸縮部材に沿って肌当接面側が帯状に押し上げられる。
そして、第２脚周り弾性伸縮部材の腹側の屈曲部が装着時に鼠径部に対して対面可能な位置にあり、背側の屈曲部が装着時の臀溝に対して対面可能な位置にあり、さらにこれら屈曲部及び屈曲部間範囲が前記吸収体と不透液性裏面シートとの間に位置されていることから、押し上げ部が嵩高である程度厚み方向の変形性を有する吸収体介在部分を有し、特にその吸収体介在部分が、鼠径部、臀溝、股間部に当接可能な位置に形成される。
他方、第２脚周り弾性伸縮部材は、屈曲部の存在によって、屈曲部と屈曲部間で伸縮力の作用方向が相違される。
そして、おむつ本体の第１脚周り弾性伸縮部材の存在及びおむつ本体脇部の固定によって、装着時にはおむつ本体は中央部よりも側縁がわが強く固定されるため、第２脚周り弾性伸縮部材の、特に屈曲部から端までの間の範囲が、端側に向かうように作用する。
これにより第２脚周り弾性伸縮部材によって肌当接面側に形成される押し上げ部は、おむつ本体の幅方向側縁に向かうようになり、特に、屈曲部から端部までの範囲で形成される押し上げ部は、装着したときに鼠径部及び臀溝に沿ってフィットしやすくなる。
他方、背側と腹側の屈曲部間の範囲で形成される押し上げ部は、当該範囲の伸縮力によって股下から身体上方に向かって引っ張られ、股間部において大腿部の付け根に沿って形成される溝部及び隙間部に入り込みやすくなる。そして、この溝部等に入り込んだ押し上げ部は、屈曲部から端部の伸縮力によって装着時にさらに大腿部内側方向に引っ張られ、当該股間部においても大腿部周りにフィットするようになる。
かくして、第２脚周り弾性伸縮部材により形成される、嵩高である程度厚み方向の変形性に余裕のある吸収体介在部分を有する押し上げ部分が、鼠径部、臀溝、股間部など大腿部周りにフィットし、大腿部周りの形状変化に対して十分な追随性が発揮される。
ここで、本発明及び明細書における用語について説明する。
本発明及び明細書における、長手方向とは、前身頃側から股下部を通って後身頃側に至る方向である。特に、幅広の特殊形状でないかぎり、一般的には展開状態における長手方向に該当する。
股下部とは、前後身頃の境界をいう。前後身頃の何れかが特に長い等の特殊形状でないかぎり、前後（長手）方向の中心線又はそれから前後方向に５ミリ未満程度の範囲を股下部という。
股間部とは装着時に股間に位置する領域であり、前記股下部から前後方向に数センチ程度の範囲である。例えば、大人用のおむつであれば前後４〜７ｃｍ程度、子供用のおむつで２〜４ｃｍ程度である。
腹側部とは股間部よりも腹側縁に近い領域、背側部とは股間部よりも背側縁に近い領域を意味する。腹側縁とは前身頃の前後方向縁、背側縁とは後身頃の前後方向縁である。
【０００６】
＜請求項２記載の発明＞
第２脚周り弾性伸縮部材は、腹側の屈曲部と背側の屈曲部との間がおむつ本体の幅方向中心側に変位するように配されている、請求項１記載の使い捨ておむつ。
【０００７】
（作用効果）
股間部における脚周りへのフィット性が高まる。
【０００８】
＜請求項３記載の発明＞
第２脚周り弾性伸縮部材は、第１脚周り弾性伸縮部材に対して、股下側から屈曲部に向かって離間し、屈曲部から端部に向かって接近するように配されている、請求項１記載の使い捨ておむつ。
【０００９】
（作用効果）
股間部に不要な空間が形成されにくくなるとともに、屈曲部位置のフィット性が高まる。
【００１０】
＜請求項４記載の発明＞
前記吸収体は、第２脚周り弾性伸縮部材に沿って凹溝又はくりぬき部が形成されている、請求項１〜３の何れか１項に記載の使い捨ておむつ。
【００１１】
（作用効果）
凹溝又はくりぬき部は他の部分よりも剛性が低くなるため第２脚周り弾性伸縮部材の伸縮力が効果的に作用し、もって凹溝近傍の吸収体が肌当接面側に持ち上がりやすくなる。
【００１２】
＜請求項５記載の発明＞
前記吸収体は、第２脚周り弾性伸縮部材に沿って透液性表面シート側に堤部が形成されている、請求項１〜３の何れか１項に記載の使い捨ておむつ。
【００１３】
（作用効果）
第２脚周り弾性伸縮部材に沿って吸収体の透液性表面シート側に堤部が形成されているので、少ない押し上げ量でも肌に当接しやすくなる。
また、厚みのある堤部が第２脚周り弾性伸縮部材で大腿部周りに押圧されることで、装着者の姿勢変化によって大腿部周りに凹部が形成された場合にも当該凹部に堤部の一部が入り込みやすく、漏れ防止効果が好適に発揮される。
【００１４】
＜請求項６記載の発明＞
一方の側縁部に複数の第２脚周り弾性伸縮部材が並設されている、請求項１〜５の何れか１項に記載の使い捨ておむつ。
【００１５】
（作用効果）
柔らかさを損なわずに伸縮力を強めることができる。また、押し上げ部分が面状に形成されるため、装着者の姿勢変化により大腿部周りに凹部が形成された場合にも当該凹部に頂面の一部が入り込みやすく、漏れ防止効果が好適に発揮される。さらに、各弾性伸縮部材の伸縮力を相違せしめたりするなど、肌当接面の押し上がり部分の形状を、より複雑な立体形状に設計することができる。もって、大腿部周りの形状変化への追随性のより高い使い捨ておむつを設計できる。
【００１６】
＜請求項７記載の発明＞
腹側の屈曲部と背側の屈曲部との間の離間距離が相違する、複数の第２脚周り弾性伸縮部材が並設されている、請求項６記載の使い捨ておむつ。
【００１７】
（作用効果）
肌当接面の押し上がり部の形状を、より複雑な立体形状に設計することができる。もって、大腿部周りの形状変化への追随性のより高い使い捨ておむつを設計できる。
【発明の効果】
【００１８】
以上のとおり、本発明によれば、使用者の姿勢、大腿部周りの形状変化に対する対応性に優れ、漏れ防止効果が向上された、使い捨ておむつが提供される。
【発明を実施するための最良の形態】
【００１９】
次いで、本発明の吸収性物品の実施の形態を、おむつを例に図面を参照しながら以下に詳述する。
『第１の実施の形態』
第１の実施の形態の使い捨ておむつＺ１を図１〜４に示す。
本形態の使い捨ておむつＸ１は、図１に示す肌当接面側からの平面図に示されるとおり、着用時に着用者の腹側に位置する腹側部Ｆ、背側に位置する背側部Ｂ、及び腹側部Ｆと該背側部Ｂとの間に位置する股間部Ｍを有するおむつ本体Ｚと、おむつ本体Ｚの背側部Ｂの左右両側縁部に連設された左右一対の止着片４，４とを有する、いわゆる止着式の使い捨ておむつであり、装着状態では、概ね図２に示す正面視となる。
止着片４，４及びこれが係止される止着部５の構成は、既知の止着式おむつに用いられているもののなかから適宜選択して用いることができるが、本形態では、止着片４，４は、不織布シートにメカニカルファスナーの雄材４１，４１を配したものであり、止着部５はメカニカルファスナーの雌材シートを腹側部Ｆの外面側に接着して形成されている。
【００２０】
おむつ本体Ｚは、透液性表面シート１と不透液性裏面シート２との間に吸収体３が介在された構造を有し、前記透液性表面シート１及び不透液裏面シート２の前後端部及び両側部が前記吸収体３よりも外方に延出され、これら延出した部位において両シートが接合されて形成されている。接合の方法は、特に限定されない。既知の方法による。例えば、ホットメルト接着、超音波シール、ヒートシール（熱融着）、ヒートプレス（熱圧着）又はこれらの組み合わせによることができる。
このおむつ本体Ｚの平面外形は、図１に示すとおり、両側の前後方向中央部が凹欠されて幅方向中心側に湾曲する脚周り縁ＥＬ，ＥＬを有し、この脚周り縁ＥＬ，ＥＬより前後方向縁側に、両側脚周り縁ＥＬ，ＥＬ間よりも幅広の腹側胴回り部、背側胴回り部を有する略砂時計型の平面外形をなしている。
そして、このおむつ本体Ｚの幅方向両側部には、前後方向に沿って、第１脚周り弾性伸縮部材１０，１０…と、第２脚周り弾性伸縮部材２０，２０とが伸張状態で固定されている。各脚周り弾性伸縮部材の固定は、隣接する適宜のシートに対してホットメルト接着剤などを用いて行うことができる。
【００２１】
前記第１脚周り弾性伸縮部材１０，１０…は、脚周り縁ＥＬ，ＥＬに沿って、若干、おむつ本体Ｚの幅方向中心側に向かって湾曲した形状となるように配されており、各端は脚周り縁ＥＬ，ＥＬよりも概ね０〜５０ｍｍ程度前後方向縁側に位置している。
なお、図からも明らかなとおり、第１脚周り弾性伸縮部材１０，１０…は複数本配することができ、その場合の本数は２〜８本程度とするのがよい。また、隣接する第１脚周り弾性伸縮部材の間隔は４〜１０ｍｍとするのがよい。
かかる第１脚周り弾性伸縮部材１０，１０…の存在によって、装着時に脚周り縁部が肌当接面側に弾性伸縮性をもって押し上げられ、効果的に装着者の脚周りにフィットする。
【００２２】
一方、前記第２脚周り弾性伸縮部材２０，２０は、第１脚周り弾性伸縮部材１０と同様に、おむつ本体Ｚの幅方向中心側に向かって略湾曲するように配され、その湾曲量が第１脚周り弾性伸縮部材１０よりも多く、第１脚周り弾性伸縮部材１０より幅方向中心側を通るように配されている。
かかる第２脚周り弾性伸縮部材２０の配設により、第１脚周り弾性伸縮部材１０よりおむつ本体Ｚの幅方向中心側位置に、装着時に肌に押接する帯状の押し上げ部が形成される。
そして、前記第２脚周り弾性伸縮部材２０は、特徴的に、図１に示される如く、股下部Ｃから腹側縁Ｅ１及び背側縁Ｅ２の各縁に向かい、腹側部Ｆ及び背側部Ｂの所定位置で屈曲して、この屈曲部２１，２２より背側縁Ｅ１及び腹側縁Ｅ２に近い位置まで至るように延在され、さらに、その各屈曲部２１，２２のうち腹側部にある屈曲部（以下、腹側屈曲部ともいう）２１が装着時に鼠径部に対して対面可能な位置にあり、背側部にある屈曲部（以下、腹側屈曲部ともいう）２２が装着時に臀溝に対して対面可能な位置にある。
【００２３】
そのうえ、前記第２脚周り弾性伸縮部材２０は、腹側部Ｆ及び背側部Ｂの各屈曲部２０，２１とこれら屈曲部間範囲が前記吸収体３と不透液性裏面シート２との間に位置されており、当該範囲により装着時に形成される押し上げ部が、嵩高で厚み方向の変形性に余裕のある吸収体介在部となるように構成されている。
なお、図示の形態では、第２脚周り弾性伸縮部材２０，２０の端部は、吸収体介在部に位置していないが、第２脚周り弾性伸縮部材２０，２０のすべての範囲が、吸収体３と不透液性裏面シート２との間に位置されていてもよい。おむつ本体Ｚの吸収体介在範囲が広範に及ぶ場合や吸収体形状を考慮して適宜選、何れかを選択することができる。
ここで、屈曲部２１，２２の具体的な位置は、おむつ本体Ｚの形状及び大きさによって相違するのであるが、例えば、所謂大人用おむつであれば、おむつ本体Ｚの幅方向中心線から３〜１３ｃｍ程度、前後方向中心線から１〜２５ｃｍ程度、離間した位置が該当し、所謂子供用おむつであれば、おむつ本体の幅方向中心線から１〜５ｃｍ程度、前後方向中心線から０．５〜１５ｃｍ程度離間した位置が該当する。
さらに、屈曲部２１，２２から端２３，２４までの距離も、おむつ本体Ｚの形状及び大きさによって相違するのであるが、例えば、所謂大人用おむつであれば、３〜１３ｃｍ程度、所謂子供用おむつであれば２〜７ｃｍ程度である。
【００２４】
また、第２脚周り弾性伸縮部材２０は、腹側屈曲部２１と腹側端２３との間が、直線状か又は若干腹側縁、又は背側縁に向かって湾曲するように配するのがよい。
さらに、第２脚周り弾性伸縮部材２０は、腹側屈曲部２１と腹側端２３とを結ぶ線と、幅方向仮想線との交差角∠αが０〜６０度の範囲となるように配するのがよい。腹側屈曲部２１と腹側端２３との間をこのように構成すると、装着時にかかる腹側屈曲部２１から腹側端２３までの範囲で形成される押し上げ部が鼠径部に沿いやすくなり、フィット性及び大腿部の形状変化に対する追随性の点で一層の効果が得られる。
【００２５】
他方、背側屈曲部２２と背側端２４との間は、直線上か又は若干腹側縁Ｅ１がわに湾曲するようにするのがよい。さらに、背側屈曲部２２と背側端２４とを結ぶ線と、幅方向仮想線との交差角∠βが０〜４５度の範囲にするのがよい。背側屈曲部２２と背側端２４との間をこのようにすると、当該範囲に形成される押し上げ部が臀溝に沿いやすくなり、フィット性及び大腿部の形状変化に対する追随性の点で一層の効果が得られる。
ここで、屈曲部２１，２２は、完全な角をもって屈曲している必要はなく、０〜４０ｍｍ程度の曲率半径を有していてよい。このように曲率半径をもって屈曲する場合における屈曲部２１，２２と端２３，２４とを結ぶ線とは、端２３，２４を通る屈曲部の接線とすればよい。
ここで、図示の形態では、屈曲部２１，２２は１本の第２脚周り弾性伸縮部材につき各１箇所ずつ設けられている例であるが、屈曲部は３箇所以上あってもよい。
【００２６】
他方、第２脚周り弾性伸縮部材２０は、腹側屈曲部２１と背側屈曲部２２との間に前後方向に沿うように配するが、おむつ本体Ｚの幅方向に対して完全に垂直である必要はなく、全体としておむつ本体Ｚの前後方向に沿っていればよい。
従って、おむつ本体Ｚの幅方向中心側又は側縁側に若干湾曲していてもよい。おむつ本体Ｚの幅方向中心線を超えず、また、第１脚周り弾性伸縮部材１０に接触しない範囲であり、本発明の趣旨を逸脱しない範囲であれば、波型、ジグザグ型に配されていてもよい。
図示の形態では、腹側屈曲部２１と背側屈曲部２２との間に、これら屈曲部２１，２２よりもおむつ本体Ｚの幅方向中心側に位置する変移部２５が設けられており、腹側屈曲部２１から変移部２５に向かって略直線状又は若干の湾曲をなし、当該変移部２５で屈曲変移されて、同様に略直線又は若干の湾曲をなして背側屈曲部２２に向かうように配されている。このように変移部２５を設けた場合には、装着時において変移部２５から屈曲部２１，２２に向かって無駄なく伸縮力が作用する。
そして、このように変移部２５を設けるのであれば、その変移部２５の位置は、特に股下部Ｃよりも前身頃又は後身頃側にオフセットしているのがよい。オフセットさせたほうが、大腿部周りの形状変化に対する追随性が高まる。そのオフセット量としては、所謂大人用おむつで０．５〜７ｃｍ程度、所謂子供用おむつで０．１〜５ｃｍ程度である。
【００２７】
ここで、第２脚周り弾性伸縮部材２０は、図４に示すように、一方側につき複数本配置してもよい。複数本とする場合には、隣接する第２脚周り弾性伸縮部材２０，２０…間の間隔を４〜８ｍｍ程度の間隔で複数本並設するのがよく、本数は２〜８本程度とするのがよい。
また、図４に示される例では、各第２脚周り弾性伸縮部材２０，２０…は屈曲部２１…，２２…において近接している。このように配すると装着時におむつ本体Ｚの屈曲部対応位置が鼠径部、臀溝からズレ難くなる。
他方、第１脚周り弾性伸縮部材１０と第２脚周り弾性伸縮部材２０とは、端部において交差、接触していてもよいが、好適には、図１及び４に示す例の如く、第２脚周り弾性伸縮部材２０の各端２３，２４が第１脚周り弾性伸縮部材１０の端よりも、おむつ本体Ｚの前後方向縁側Ｅ１，Ｅ２に位置して、交差されない関係にあるのがよい。少なくとも、第２脚周り弾性伸縮部材２０の屈曲部２１，２２間の範囲は第１脚周り弾性伸縮部材１０と接しないように配される。
また、第１脚周り弾性伸縮部材１０と第２脚周り弾性伸縮部材２０との離間距離は、特に、股間部Ｍにおいて、１０ｃｍ未満とするのがよい。股間部Ｍにおいて、第１脚周り弾性伸縮部材１０と第２脚周り弾性伸縮部材２０との間隔が過度に広いと、装着時に股間部Ｍにおいてそれら弾性伸縮部材１０，２０間に空間が形成されやすくなり、本発明の効果が発揮され難くなる。
【００２８】
次いで、本形態の使い捨ておむつに用い得る、素材等について説明する。
前記第１及び第２脚周り弾性伸縮部材１０，２０は、本形態では、代表的に糸ゴムを用いている。糸ゴムとしては、合成ゴム又は天然ゴムからなるもの、天然ゴムを主成分とするものが適する。
糸ゴムの太さとしては、合成ゴムからなるものであれば、１００〜２０００ｄｔｅｘ、好適には５００〜１５００ｄｔｅｘ、天然ゴムからなるもの又は天然ゴムを主成分とするものであれば、断面が０．１ｍｍ×０．１ｍｍ〜１．０ｍｍ×５．０ｍｍの方形、円形、楕円形、特に０．１ｍｍ×０．５ｍｍ〜０．７５×２．０ｍｍの方形のものが適する。
また、糸ゴムとしては、１１０〜５００％のテンションを有し、その範囲における伸張応力が１〜５００ｇｆであるものが適する。さらに、１５０〜２５０％のテンションを有し、この範囲における伸張応力が２０〜２００ｇｆであるものがより好適である。
従って、第１及び第２脚周り弾性伸縮部材１０，２０として、かかる糸ゴムを用いるのであれば、上記テンション、かつ上記伸張応力が発揮されるように固定するのがよい。
なお、前記第１及び第２脚周り弾性伸縮部材１０，２０は、上記糸ゴムに限定されず、例えば、一般的によく知られたエラストマー樹脂を含む、糸状、紐状、帯状、網状、フォーム状等に成形（成型）された、ゴム弾性を有する材料を好適に用いることができる。
【００２９】
他方、各弾性伸縮部材１０，２０の固定、シート１，２同士の張り合わせ等に用いるホットメルト接着剤は、この種の使い捨ておむつに用いられている既知のものが使用可能である。スチレン系ブロック共重合体やポリウレタン系ブロック共重合体、ポリエステル系ブロック共重合体、ポリアミド系ブロック共重合体、共重合体ブレンドのベースポリマーと、ロジン系樹脂、ポリテルペン系樹脂、テルペンフェノール系樹脂、ジシクロペンタジエン系石油樹脂、脂肪族系石油樹脂、芳香族系石油樹脂、共重合系石油樹脂、脂環族系石油樹脂、キシレン樹脂およびエラストマー等の常温時固体の接着性付与成分と、ワックス類などの可塑剤成分と、酸化防止剤を構成成分として少なくとも含むものが好適である。
【００３０】
一方、透液性表面シート１は、ナイロン、ポリエチレンテレフタレート等の糸を平織り等したネット状のシート素材、多数の透孔を形成したフィルムシート材、ポリエチレンやポリプロピレン等のフィルムシート材、透液性を有する織布、不織布が適し、特に不織布が適する。不織布としては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
なお、スパンレース法は柔軟性、ドレープ性に富む点で優れ、サーマルボンド法は嵩高でソフトである点で優れている。
また、ＳＭＳ不織布、ポイントボンド不織布あるいは、ポリエチレンフィルム等のプラスチックフィルムや、プラスチックフィルムと不織布とをラミネートしたラミネート不織布など層構造の不織布を用いることもできる。
【００３１】
他方、不透液性裏面シート２は、ポリエチレンやポリプロピレン等の既知の樹脂シート、特には、ポリエチレンやポリプロピレン等の樹脂中に無機充填剤を混練してシートを成形した後、一軸または二軸方向に延伸することにより得られる微多孔性の樹脂シートが好適に用いられる。不透液性裏面シート２は、肌触り性向上のために樹脂性シートの外面に不織布等からなる外装シートを積層したものが特に好適である。外装シートに用いうる不織布シートは、上記透液性表面シートに用いられるのと同様である。
【００３２】
吸収体３は、積繊パルプ、不織布などの繊維内に吸収性ポリマーが散在されている吸収コアをクレープ紙、不織布シート、孔開きシート等の透液性シートによって包皮した既知の構成を採ることができる。
高吸収性ポリマーとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。製品の吸湿によるブロッキング性を抑制するためにブロッキング防止剤が添加されたものも用いることができる。また高吸収性ポリマーとしては、粉体状、粒子状、顆粒状、ペレット状、ゾル状、サスペンジョン状、ゲル状、フィルム状、不織布状等のさまざまな形態をもったものがあるが、これらはいずれも本発明において使用可能であり、特に粒子状のものが好適に使用される。
【００３３】
『第２の実施の形態』
第２の実施の形態は、第２脚周り弾性伸縮部材２０に沿って吸収体３に帯状のくりぬき部３Ａが形成されている形態である。吸収体３に、くりぬき部３Ａが設けられている以外は、第１の実施の形態と同様の構成である。
くりぬき部３Ａは、吸収体３を構成する積繊パルプや繊維材が帯状に中抜きされて形成された部分である。積繊パルプ等を包囲するクレープ紙などは存在されてもよい。
図示の形態では、第２脚周り弾性伸縮部材の前記変移部２５よりも腹側のみに設けているが、例えば、全範囲に設けてもよい。また、背側のみにくりぬき部を形成するようにしてもよい。また、間欠的に複数形成するようにしてもよい。
また、くりぬき部３Ａは、第２脚周り弾性伸縮部材２０と重なるように配してもよいが、第２脚周り弾性伸縮部材２０に対して、１〜１０ｍｍ程度おむつ本体Ｚの幅方向中心側にオフセットするように位置させて配してもよい。このように、オフセットさせた場合には、第２脚周り弾性伸縮部材２０が収縮したときに、くりぬき部３Ａで吸収体３が折れて、吸収体３のくりぬき部より側縁に位置する部分が押し上がるとともに、このようにして形成された押し上げ部が他の吸収体部分に対して拘束されなくなるためフィット性、追随性が高まる。特に股間部Ｍでのフィット性、追随性が高まる。
くりぬき部３Ａの幅は、特に限定されないが、過度に幅広であると吸収体３の吸収効果を低下させることになるため、概ね５ｃｍ未満とするのがよい。
このようなくりぬき部３Ａを有する吸収体３の製造は、例えば、図示はしないが、吸収体製造用の積繊ドラムの表面に設けられた、実質的に積繊パルプを堆積させて型成する積繊領域に、部分的に積繊パルプが積繊されないようにする凸部を適当に配置することで、製造することが可能である。
ここで、くりぬき部３Ａと同様の効果が得られる形態として、吸収体３の透液性表面シート１側に凹溝やスリット線を形成した形態が挙げられる。
なお、凹溝を形成するにあたっては、上記くりぬき部３Ａと同様に、積繊領域へ凸部を配置することで製造することができる。
凹溝とするのであれば、吸収体３のエンボス加工によっても形成することができる。ただし、エンボス加工とすると、凹溝部の密度が高くなり剛性が過度に高くなって変形性が低下することがあるため、この点を考慮してエンボス圧を設定する。
【００３４】
『第３の実施の形態』
次いで、第３の実施の形態を図７及び８に示す。この第３の実施の形態は、特徴的に、吸収体３の第２脚周り弾性伸縮部材２０と重なる部分が増厚されて、透液性表面シート１側に帯状の堤部３Ｂが形成されている。吸収体３に、堤部３Ｂが設けられている以外は、第１の実施の形態と同様の構成である。
前記堤部３Ｂは、図示の形態では、第２脚周り弾性伸縮部材２０の屈曲部２１，２２間と吸収体３とが重なる範囲のみに形成されているがこの形態に限らず、例えば、重なる範囲の全範囲に設けてもよいし、腹側のみ、背側のみに堤部を形成するようにしてもよい。また、間欠的に複数形成するようにしてもよい。
一方、堤部３Ｂの幅は、おむつ本体部Ｚの大きさによるが、所謂大人用のおむつであれば、１〜７ｃｍ程度にするのがよく、所謂子供用であれば、１〜４ｃｍとするのがよい。過度に幅広であっても意味はなく、むしろ鼠径部、臀溝等へのフィット性が悪化する。他方、過度に狭いと堤部形成による効果が得られない。
また、堤部３Ｂの高さは、２〜１０ｍｍ程度とするのがよい。２ｍｍ未満であると堤部形成による効果が得られず、１０ｍｍを超えると堤部形成部と他の部分との間に不必要な間隙が形成されかえって漏れの原因となる場合がある。
このような堤部３Ｂを有する吸収体３を製造する方法としては、吸収体製造用の積繊ドラムの実質的な積繊領域の底型を適宜設計すればよい。例えば、積繊領域に堤部に対応する凹溝を形成すればよい。
【００３５】
『第４の実施の形態』
次いで、第４の実施の形態を図９に示す。この第４の実施の形態は、特徴的に、各側部につき、屈曲部位置の相違する複数の第２脚周り弾性伸縮部材２０を配して形態である。第２脚周り弾性伸縮部の配設形態以外は、第１の実施の形態と同様の構成である。
図示の形態では、特に好ましい形態として、おむつ本体Ｚの幅方向中心側に位置する第２脚周り弾性伸縮部材２０の屈曲部２１ａ，２２ａが、おむつ本体の幅方向側縁側に位置する第２脚周り弾性伸縮部材２０の屈曲部２１ｂ，２２ｂよりも、前後方向中心寄りに位置されている。
この形態を採ると、鼠径部及び臀溝に複数の屈曲部２１ａ，２１ｂ，２２ａ，２２ｂが対応し、もって、各屈曲部２１ａ，２１ｂ，２２ａ，２２ｂにより形成される押し上げ部が、大腿部周りの形状変化に対して、極めて好適な追随性を発揮する。
【００３６】
『第５の実施の形態』
上記第１〜４の形態は、おむつ本体に第２脚周り弾性伸縮部材２０が左右対称に配されている形態であるが、本発明の使い捨ておむつでは、必ずしも、左右対称に配する必要はない。
第５の実施の形態は、使い捨ておむつを使用する者として、左半身、右半身、左右の何れか脚や下半身のみしか動かせない者、リハビリテーション等のため左右何れかの脚しか可動させない者、左体側部又は右体側部に怪我等をして当該部位が上方になるようにしてベッドに横にならなければならない者、などがいることに鑑みて、第２脚周り弾性伸縮部材２０を左右非対称に配した形態である。
この第５の実施の形態は、第２脚周り弾性伸縮部材２０が左右非対称である以外は、第１の実施の形態と同様の構成である。
本形態は、例えば、図１０に示すとおり、左右で第２脚周り弾性伸縮部材２０の本数、屈曲部２１，２２位置が相違するように構成される。
図示の形態についてより詳述すると、着用時における左側部に３本の第２脚周り弾性伸縮部材２０，２０…がそれらの屈曲部２１，２２の略同位置となるように並設されており、右側部には２本の第２脚周り弾性伸縮部材２０が屈曲部２１，２２位置の相違するようにして並設されている。
この形態をとると、着用時には左側部での強く押圧され、右側部では左側部と比較して体に対する押圧力は弱くなるが、大腿部周りの形状変化に対する追随性については優れるようになる。従って、例えば、右体側を上方にして横にならなければならない者などが使用したときに、優れた効果が発揮される。
なお、図示の形態は一例であって、本発明の範囲内で適宜設計変更することは可能である。例えば、左右で伸張力や太さの相違する第２脚周り弾性伸縮部材２０を配するようにしてもよい。
【００３７】
『その他』
上記第１〜５の実施の形態は止着式の使い捨ておむつを例に説明したが、本発明は止着式の使い捨ておむつに限らず、前身頃と後身頃とが左右両脇部で予め接合されている所謂パンツ型の使い捨ておむつや、左右両脇部が予め接合されているが裂開線で裂開することで前身頃と後身頃とに分離できる所謂コンバーチブル型使い捨ておむつとすることができる。
以上、本発明の好ましい実施の形態をいくつか説明したが、本発明は、上述した実施形態に制限されず、本発明の趣旨を逸脱しない範囲で種々変更が可能である。
【産業上の利用可能性】
【００３８】
本発明は、例えば、パンツ型、コンバーチブル型、止着式などの各種の使い捨ておむつのほかに、これらと併用される補助吸収パッドなどにも利用可能である。
【図面の簡単な説明】
【００３９】
【図１】第１の実施の形態に係る止着式おむつの平面図である。
【図２】装着時の正面視の一例を表した図である。
【図３】図１のＩＩＩ−ＩＩＩ断面図である。
【図４】第１の実施の形態に係る止着式使い捨ておむつの他の例の平面図である。
【図５】第２の実施の形態に係る止着式使い捨ておむつの平面図である。
【図６】そのＶＩ−ＶＩ断面図である。
【図７】第３の実施の形態に係る止着式紙おむつの平面図である。
【図８】そのＶＩＩＩ−ＶＩＩＩ断面図である。
【図９】第４の実施の形態に係る止着式紙おむつの平面図である。
【図１０】第５の実施の形態に係る止着式紙おむつの平面図である。
【符号の説明】
【００４０】
１…透液性表面シート、２…不透液性裏面シート、３…吸収体、３Ａ…くりぬき部、３Ｂ…堤部、３ｅ…吸収体側縁、４…止着片、５…係止部、１０…第１脚周り弾性伸縮部材、２０…第２脚周り弾性伸縮部材、２１，２１ａ，２１ｂ…腹側屈曲部、２２，２２ａ，２２ｂ…背側屈曲部、２３…腹側端、２４…背側端、２５…変移部、４１…雄材、  Ｅ１…前後方向腹側縁、Ｅ２…前後方向背側縁、Ｅ３…おむつ本体側縁、ＥＬ…脚周り縁、Ｆ…腹側部、Ｂ…背側部、Ｍ…股間部、Ｃ…股下部、Ｚ…おむつ本体、Ｘ１…使い捨ておむつ。
【図１】
2008161480.tif 000003
【図２】
2008161480.tif 000004
【図３】
2008161480.tif 000005
【図４】
2008161480.tif 000006
【図５】
2008161480.tif 000007
【図６】
2008161480.tif 000008
【図７】
2008161480.tif 000009
【図８】
2008161480.tif 000010
【図９】
2008161480.tif 000011
【図１０】
2008161480.tif 000012